(57)【特許請求の範囲】
【請求項１】
内側型枠（２２０）を配置すること、但し前記内側型枠は少なくとも１つの孔（２４０）と、前記孔（２４０）の領域で前記内側型枠の内側に配置された少なくとも１つの保持ユニット（４００）を備えること、
コンクリートアンカー（３００）の第１端部（３１０）または前記コンクリートアンカーの第１端部において取り外し可能要素（４１０）を、前記内側型枠（２２０）の外側から前記孔（２４０）を通って前記保持ユニット（４００）に、前記コンクリートアンカー（３００）を保持するため導入すること、
外側型枠（２１０）を配置すること、
コンクリートを前記内側および前記外側型枠（２２０，２１０）の間に打設すること、
前記第１端部（３１０）内において前記取り外し可能要素（４１０）または前記コンクリートアンカー（３００）の前記第１端部を取り外すこと、および
前記内側および前記外側型枠（２２０，２１０）を取り外すこと、
ここで前記保持ユニット（４００）は、互いに平行に配列された第１と第２の保持プレート（４２０）と、 スペーサプレート（４４０）と、第１および第２の保持要素（４３０）とを有しており、
前記第１および第２の保持要素はそれぞれ、第１弾性端部（４３３）、ラッチ部分（４３１）および第２端部（４３４）を有しており、
前記第１および第２の保持要素（４３０）の前記第１弾性端部（４３３）は、前記コンクリートアンカー（３００）の前記第１端部（３１０）が第１方向に導入される時にスプリング動作し、前記第１および第２の保持要素のラッチ部分（４３１）は、前記第１方向とは反対の第２方向にロック動作すること、
を特徴とする風力発電装置のプレキャストコンクリート製タワーセグメントの製造方法。
【請求項２】
前記コンクリートアンカー（３００）の前記第１端部（３１０）は、前記取り外し可能要素（４１０）が螺合する内ねじ（３１１）を有し、それを介して付属設備または装着部品が前記タワーセグメントに係止されること特徴とする請求項１に記載の製造方法。
【請求項３】
少なくとも１つの孔（２４０）を備える内側型枠（２２０）と、
前記内側型枠に前記孔の領域に設けられる少なくとも１つの保持ユニット（４００）と、を有し、
前記保持ユニット（４００）は、コンクリートアンカー（３００）の第１端部（３１０）または前記コンクリートアンカーの前記第１端部（３１０）における取り外し可能要素（４１０）を、前記内側型枠（２２０）の外側から前記孔（２４０）を通って前記保持ユニット（４００）に導入したとき、前記コンクリートアンカー（３００）を保持するように構成されており、
ここで前記保持ユニット（４００）は、互いに平行に配列された第１と第２の保持プレート（４２０）と、 スペーサプレート（４４０）と、第１および第２の保持要素（４３０）とを有しており、
前記第１および第２の保持要素はそれぞれ、第１弾性端部（４３３）、ラッチ部分（４３１）および第２端部（４３４）を有しており、
前記第１および第２の保持要素（４３０）の前記第１弾性端部（４３３）は、前記コンクリートアンカー（３００）の前記第１端部（３１０）が第１方向に導入される時にスプリング動作し、前記第１および第２の保持要素のラッチ部分（４３１）は、前記第１方向とは反対の第２方向にロック動作すること、を特徴とする風力発電装置のプレキャストコンクリート製タワーセグメント用型枠。
【請求項４】
前記保持ユニット（４００）は、前記取り外し可能要素（４１０）または前記コンクリートアンカー（３００）の前記第１端部（３１０）が一方向に導入され、反対方向にブロックされるよう構成されることを特徴とする請求項３記載の型枠。
【請求項５】
前記保持ユニット（４００）は、前記取り外し可能要素（４１０）または前記コンクリートアンカー（３００）の第１端部（３１０）を導入するためにスプリング動作し、反対方向にロック動作することを特徴とする請求項３または４記載の型枠。
【請求項６】
風力発電装置のプレキャストコンクリート製タワーセグメントの製造の際にコンクリートアンカー（３００）を保持する保持ユニット（４００）であって、
保持ユニット（４００）を内側型枠（２２０）に固定する少なくとも１つの固定部分（４２５）と、
コンクリートアンカー（３００）が、第１方向に導入を許容しかつ第１方向と反対の第２方向に抜けることを防止可能な少なくとも１つの弾性保持要素（４３０）と、を有し、
ここで前記保持ユニット（４００）は、互いに平行に配列された第１と第２の保持プレート（４２０）と、 スペーサプレート（４４０）と、第１および第２の保持要素（４３０）とを有しており、
前記第１および第２の保持要素はそれぞれ、第１弾性端部（４３３）、ラッチ部分（４３１）および第２端部（４３４）を有しており、
前記第１および第２の保持要素（４３０）の前記第１弾性端部（４３３）は、前記コンクリートアンカー（３００）の第１端部（３１０）が第１方向に導入される時にスプリング動作し、前記第１および第２の保持要素のラッチ部分（４３１）は、前記第１方向とは反対の第２方向にロック動作することを特徴とする保持ユニット。
【発明の詳細な説明】
【技術分野】
【０００１】
本発明は、風力発電装置のタワーのプレキャストコンクリート製セグメントの製造方法およびプレキャストコンクリートセグメントの型枠に関する。
【背景技術】
【０００２】
例えば風力タービンのタワーは、コンクリート製タワーに関する限り、例えば、複数のコンクリートセグメントから構成される。各コンクリートセグメントは互いに積層され、鋼ケーブルまたは鉄コードによって互いに支え合う。
【０００３】
風力発電装置のコンクリートセグメントの製造の際、内側型枠と外側型枠が配置される。これらの間に、金属ケージまたはコンクリートセグメントの静的挙動を改善する補強部材が設けられる。内側型枠と外側型枠を構築した後、内側型枠と外側型枠の間の容積にコンクリートが打設される。コンクリート硬化後、外側型枠を外して、さらなる処理のためにコンクリートを輸送することができる。
【０００４】
例えば、はしご等の様々な付属設備を風力発電装置のタワー内に備え付ける必要がある。これらの付属設備は、当然、強固に（コンクリートセグメントの）タワー壁にまたはタワー壁内に取り付ける必要がある。取り付けは、その結果がタワーの静的挙動に負の影響を及ぼさないように行う必要もある。
【０００５】
付属設備は、孔が適切な位置に開けられ、付属設備が例えばダウエルピンによってタワー壁内または上に留められることによって装着される。
【０００６】
優先権の基礎となる独国出願において、独国特許商標庁は以下の文献を検索した。
【先行技術文献】
【特許文献】
【０００７】
【特許文献１】DE 16 84 221公報
【特許文献２】US 6,315,077 B1公報
【特許文献３】US 7,108,101 B1公報
【発明の概要】
【発明が解決しようとする課題】
【０００８】
本発明の課題は、費用対効果のより高いコンクリートセグメントの製造を可能にする風力発電装置のタワー用のプレキャストコンクリート製セグメントの製造方法を提供することである。
【課題を解決するための手段】
【０００９】
本課題は第１の視点に基づく方法によって達成される。
（第１の視点）風力発電装置のプレキャストコンクリート製タワーセグメントの製造方法は、内側型枠を配置すること、但し前記内側型枠は少なくとも１つの孔と、前記孔の領域で前記内側型枠の内側に配置された少なくとも１つの保持ユニットを備えること、コンクリートアンカーの第１端部または前記コンクリートアンカーの第１端部において取り外し可能要素を、前記内側型枠の外側から前記孔を通って前記保持ユニットに、前記コンクリートアンカーを保持するため導入すること、外側型枠を配置すること、コンクリートを前記内側および前記外側型枠の間に打設すること、前記第１端部内において前記取り外し可能要素または前記コンクリートアンカーの前記第１端部を取り外すこと、および前記内側および前記外側型枠を取り外すこと、ここで前記保持ユニットは、互いに平行に配列された第１と第２の保持プレートと、 スペーサプレートと、第１および第２の保持要素とを有しており、前記第１および第２の保持要素はそれぞれ、第１弾性端部、ラッチ部分および第２端部を有しており、前記第１および第２の保持要素の前記第１弾性端部は、前記コンクリートアンカーの前記第１端部が第１方向に導入される時にスプリング動作し、前記第１および第２の保持要素のラッチ部分は、前記第１方向とは反対の第２方向にロック動作すること、を特徴とする。
（第２の視点）第１の視点に記載の製造方法によって製造可能な風力発電装置のタワー用プレキャストコンクリートセグメント。
（第３の視点）風力発電装置のプレキャストコンクリート製タワーセグメント用型枠は、少なくとも１つの孔を備える内側型枠と、前記内側型枠に前記孔の領域に設けられる少なくとも１つの保持ユニットと、を有し、前記保持ユニットは、コンクリートアンカーの第１端部または前記コンクリートアンカーの前記第１端部における取り外し可能要素を、前記内側型枠の外側から前記孔を通って前記保持ユニットに導入したとき、前記コンクリートアンカーを保持するように構成されており、ここで前記保持ユニットは、互いに平行に配列された第１と第２の保持プレートと、 スペーサプレートと、第１および第２の保持要素とを有しており、前記第１および第２の保持要素はそれぞれ、第１弾性端部、ラッチ部分および第２端部を有しており、前記第１および第２の保持要素の前記第１弾性端部は、前記コンクリートアンカーの前記第１端部が第１方向に導入される時にスプリング動作し、前記第１および第２の保持要素のラッチ部分は、前記第１方向とは反対の第２方向にロック動作する。
（第４の視点）風力発電装置のプレキャストコンクリート製タワーセグメントの製造の際にコンクリートアンカーを保持する保持ユニットであって、保持ユニットを内側型枠に固定する少なくとも１つの固定部分と、コンクリートアンカーが、第１方向に導入を許容しかつ第１方向と反対の第２方向に抜けることを防止可能な少なくとも１つの弾性保持要素と、を有し、ここで前記保持ユニットは、互いに平行に配列された第１と第２の保持プレートと、 スペーサプレートと、第１および第２の保持要素とを有しており、前記第１および第２の保持要素はそれぞれ、第１弾性端部、ラッチ部分および第２端部を有しており、前記第１および第２の保持要素の前記第１弾性端部は、前記コンクリートアンカーの第１端部が第１方向に導入される時にスプリング動作し、前記第１および第２の保持要素のラッチ部分は、前記第１方向とは反対の第２方向にロック動作する。
なお、本願の特許請求の範囲に付記した図面参照符号は、専ら理解を助けるためのものであり、図示の態様に限定することを意図するものではない。
【００１０】
したがって、プレキャストコンクリート製タワーセグメントの製造方法が提供される。内側型枠は少なくとも１つの孔と少なくとも１つの保持ユニットを内側型枠の内側（内壁側）に孔の領域に備え、該内側型枠が配設される。コンクリートアンカーの第１端部またはコンクリートアンカーの第１端部において取り外し可能要素の第１端部が、内側型枠の外側から孔を通って保持ユニットに、コンクリートアンカーの保持のため導入される。外側型枠が配置される。コンクリートが内外型枠の間に導入ないし打設される。第１端部ないしコンクリートアンカーの第１端部取り外し可能要素が取り外され、プレキャストコンクリートが脱型される。
【発明を実施するための形態】
【００１１】
本発明の他の視点によれば、保持ユニットは、取り外し可能要素またはコンクリートアンカーの第１端部が一方向に導入され、反対方向にはブロックされるように構成される。
【００１２】
本発明の別の視点によれば、保持ユニットは、取り外し可能要素を導入するときにはスプリング動作し、反対方向へはロック動作する。
【００１３】
本発明の他の視点によれば、コンクリートアンカーの第１端部は内ねじを有し、取り外し可能な端部は内ねじに螺合して、取付部品または付属設備がタワーセグメントに係止（固定）可能となる。
【００１４】
本発明は、内側型枠（内）の適切な位置に孔（複数）を設け、また外側型枠の取り付け前（例えばコンクリートセグメント強化用鉄筋格子の取り付け後）、内側型枠の内側で孔内に保持ユニットを設けるという考えに関する。これは、保持ユニットを内側型枠の内側に溶接することによって実行できる。コンクリートアンカーの第１端部は、内側型枠に設けた孔を通って保持ユニットに導入することができ、ここでコンクリートアンカーが保持される。次に外側型枠を配置することができ、コンクリートが内外型枠間の容積に導入できる。コンクリート硬化後、外側型枠を取り外すことができる。次にコンクリートセグメントを内側型枠から持ち上げることができる。内側型枠はそこで任意に残留してもよく、保持ユニットは内側型枠に任意に残留してもよく、取り外されてもよい。
【００１５】
コンクリートアンカーの自由端部には、取り外し可能要素を、例えば保持ユニットと係合してそれにより保持ユニットに保持されるボルトの形式で設けることができる。取り外し可能要素は内側型枠の取り外し前に取り外すことができる。次いで内側型枠は１つまたは複数の保持ユニットと一緒に取り外すことができる。このようにして、コンクリートセグメントにはコンクリートセグメントの内側に複数の孔が残り、これらの孔は夫々コンクリートアンカーを介してコンクリート型枠に強固に接続（ないし結合）される。
【００１６】
本発明のさらなる改良は従属項の主題を形成している。
本発明において、以下の形態が可能である。
（形態１）第１の視点のとおり。
（形態２）前記保持ユニットは、取り外し可能要素または前記コンクリートアンカーの第１端部が一方向に導入され、反対方向にはブロックされるように構成される。
（形態３）前記保持ユニットは、前記取り外し可能要素の導入時にスプリング動作し、反対方向へはロック動作することを特徴とする。
（形態４）前記コンクリートアンカーの前記第１端部は、前記取り外し可能要素が螺合する内ねじを有し、それを介して付属設備または装着部品が前記タワーセグメントに係止される。
（形態５）第２の視点のとおり。
（形態６）第３の視点のとおり。
（形態７）前記保持ユニットは、前記取り外し可能要素または前記コンクリートアンカーの前記第１端部が一方向に導入され、反対方向にブロックされるよう構成される。
（形態８）前記保持ユニットは、前記取り外し可能要素または前記コンクリートアンカーの第１端部を導入するためにスプリング動作し、反対方向にロック動作する。
（形態９）第４の視点のとおり。
【００１７】
以下図面を参照しながら本発明の有利で例示的な実施例を詳細に説明する。
【図面の簡単な説明】
【００１８】
【図１】図１は、本発明による一風力発電装置を模式的に示す図である。
【図２】図２は、第１実施例による風力発電装置のタワーのタワーセグメントのプレキャストコンクリート部分を模式的に示す断面図である。
【図３】図３は、第２実施例によるプレキャストコンクリート製タワーセグメントの詳細を模式的に示す断面図である。
【図４】図４Ａおよび４Ｂは、第２実施例による保持ユニットの２つの異なる模式図であり、図４Ｃは、図４Ａおよび４Ｂの保持ユニットを模式的に示す断面図である。
【図５】図５は、第２実施例によるプレキャストコンクリート製タワーセグメントの詳細を示す断面の斜視図である。
【実施例１】
【００１９】
図１は、本発明による風力発電装置を模式的に示す図である。風力発電装置１００は、タワー１０２とナセル１０４を有する。３枚のロータブレード１０８とスピナ１１０を備えるロータ１０６がナセル１０４上に設けられる。運転時、ロータ１０６は風力によって回転運動するように設定され、これによってナセル１０４内で発電機のロータも回転する。ロータブレード１０８のピッチ角は、各ロータブレード１０８の根元にあるピッチモータによって調節（変更）できる。タワー１０２は、複数のタワーセグメントまたはタワーセクション２００から組み立てられている。
【００２０】
図２は、第１（例示的）実施例による製造中の風力発電装置のタワー用のプレキャストコンクリート製タワーセグメントの断面図である。コンクリートタワーセグメントを製造するため、内側型枠２２０は、少なくとも１つの保持ユニット４００が内側型枠内にないし内側型枠の内側に少なくとも１つの孔２４０の領域に配設ないし固定されている。これは例えば溶接によって実装される。コンクリートアンカー３００はその第１端部３１０が、内側型枠２２０内の孔２４０を通じて外側から案内されて、保持ユニット４００に嵌入してそこに保持される。外側型枠２１０の設置後、内外型枠２２０，２１０の容積にコンクリート２３０が充填される。金属ケージまたは補強具は内外型枠２２０，２１０の間に設けることができ、プレキャストコンクリート部分（部材）の機械的強度を改善する。内外型枠２２０，２１０間にコンクリートを充填するとき、コンクリートはコンクリートアンカー３００も囲む。コンクリートタワーセグメントのコンクリートが十分に硬化したとき、外内型枠２１０，２２０が取り外される。コンクリートアンカー３００はコンクリート２３０によって確実に保持（確保）され、取付部品をコンクリートアンカー３００に固定（係止）することができる。
【００２１】
コンクリートアンカー３００の第１端部３１０には、取り外し可能要素４１０、例えばコンクリートアンカー３００を保持するために、保持ユニット４００に導入可能なネジボルト４１０を設けることができる。取り外し可能要素（例えばネジボルト）が取り外された後、コンクリートセグメントが、そこに内側型枠２２０が残っている状態で（保持ユニット４００が取り外されていない）脱型され、その結果、プレキャストコンクリート部分２００のみが少なくとも１つのコンクリートアンカー３００を備えて残留する。コンクリートアンカー３００の第１端部３１０は、例えば付属設備また取付部品がそれに風力発電装置のタワーの内側に固定（係止）可能に構成できる。これは例えば（内）ねじを備えることによって達成できる。
【００２２】
コンクリート硬化後、コンクリートアンカー３００は十分に強固にプレキャストコンクリート製タワーセグメントにアンカーされ、付属設備および装着部品をコンクリートアンカーないしその第１端部３１０に固定することができる。
【００２３】
本発明の保持ユニット４００は内側型枠２２０の内側（内壁面）に、ボアまたは孔２４０の領域内で固定（ないし固着）される。保持ユニット４００は、コンクリートアンカーの第１端部３１０あるいは第１端部上または内に設けられた取り外し可能要素４１０は、コンクリートアンカーが保持ユニット４００によって固定（係止）されるように、すなわちコンクリートアンカーが保持ユニットに保持されるように、保持ユニット４００に導入可能に構成される。この固定（係止）は、例えばコンクリートアンカーの第１端部３１０の取り外し可能要素４１０を孔２４０を貫通して保持ユニット４００に挿入することによって実行される。コンクリートアンカー３００が取り外し可能要素４１０を経由して保持ユニット４００に導入された後、コンクリートアンカー３００は確実に固定（係止）され、続いて、コンクリート２３０が内外型枠間に打設できる。
【００２４】
保持ユニット４００を内側型枠２２０の内側に備えることによって、一人で内側型枠の外からコンクリートアンカー３００の位置決めができるため、唯一人によってコンクリートアンカー３００の位置決めができる。保持ユニット４００は、任意にコンクリートアンカーの第１端部３１０の導入が可能であるが、反対方向への移動を阻止（ブロック）するように構成することもできる。
【００２５】
保持ユニット４００は、任意に、コンクリートアンカーを導入するときにはスプリング機能を有し、コンクリートアンカーの取り外しに対してはロック機能を有する。
【００２６】
本発明の保持ユニットは、プレキャストコンクリート製タワーセグメントの製造に際し、コンクリートアンカーが他の方法により固定されることを要することなく、コンクリートアンカーをその位置に保持するように機能する。
【００２７】
図３は、第２実施例によるプレキャストコンクリート製タワーセグメントの詳細を模式的に示す断面図である。第２実施例によるプレキャストコンクリート製タワーセグメントは、図２の第１実施例によるプレキャストコンクリート製タワーセグメントに基づくものとすることができる。保持ユニット４００は内側型枠２２０の内側に例えば溶接によって固定される。保持ユニット４００は、特に内側型枠２２０内の孔２４０の周りに設けられる。取り外し可能要素４１０を持つ第１端部３１０を備えるコンクリートアンカー３００は、孔２４０を通じて保持ユニット４００内へ導入される。保持ユニット４００は取り外し可能要素４１０を保持かつロックし、その結果コンクリートアンカー３００をもはや取り外すことができない。
【００２８】
保持ユニット４００は、互いに平行に配置されてボルト４２６によって互いに固定（ないし係留）可能な二枚のプレート４２０を有することができる。プレート４２０は第１端部に２つの固定部分４２５を有し、保持ユニット４００を内側型枠２２０に固定（固着）可能としている。固定は例えば溶接によって達成できる。切欠き４２３および任意に取付容易化部分４２２ａ，４２２ｂが、２つの固定部分４２５，４２５の間に設けられる。切欠き４２３は、出るコンクリートが切欠き４２３を通じて流下可能となるように設けられる。取付容易化部分４２２ａ，４２２ｂは取り付け（組立て）を容易化する。
【００２９】
各プレート４２０は第２端部に切欠き４２４を有する。切欠き４２４は、取り外し可能要素４１０が好ましくはコンクリートの硬化後にコンクリートアンカーがもはや移動不能状態で組立工により取り外すことができるように設けられる。
【００３０】
コンクリートアンカー３００は第１端部３１０および第２端部３２０を有する。第１端部３１０は（内）ねじを有し、内側型枠２２０に接して設けられる。第２端部３２０はコンクリート２３０内へ突出する。取付部品および付属設備は、第１端部３１０の内ねじ３１１によってタワーセグメント２００の内側に固定（螺着）できる。
【００３１】
図４Ａは、第２実施例による保持ユニットのプレートの平面図である。プレート４２０はその一端部に複数の係止部分４２５を有し、それらの間に取付容易化のための切欠き４２３と切欠き４２２ａ，４２２ｂを有する。切欠き４２４がプレート４２０の第２端部に設けられる。プレート４２０はボルト４２６用に複数の開口ないし孔４２１も有する。
【００３２】
図４Ｂは、第２実施例による保持ユニットのプレートの平面図である。保持ユニットプレート４２０は、平行に配列された２つの保持プレート４２０、スペーサプレート４４０および２つの保持要素４３０を有する。保持要素は、第１弾性端部４３３、ラッチ部分４３１および第２端部４３４を有する。第２端部４３４は２つのボルトによって（そのうち一方のボルトは遊び開口４３２に挿通）保持され、第１端部４３３は１つのボルトによって保持される。
【００３３】
図５は、本発明による一保持ユニットを示す断面の斜視図である。図５の図示では、（２つの）プレート４２０の１つを省いている。図５中、コンクリートアンカー３００はその第１および第２端部３１０，３２０とともに図示され、取り外し可能要素４１０が第１端部３１０に係止（固定）されている。取り外し可能要素４１０は、例えばネジボルトの形式で実装でき、コンクリートアンカーの第１端部３１０でその（内）ねじ３１１と螺合される。コンクリートアンカーの取付時、第１端部は取り外し可能要素４１０とともに、孔２４０を通じて、内側型枠２２０に固着された保持ユニット４００に導入される。２つのラッチ部分４３１によって、保持ユニット４００は取り外し可能要素４１０の外ねじと係合（螺合）して、取り外し可能要素を導入位置で保持する。２つのラッチ部分４３１はそれぞれ、ラッチ動作がスプリング動作（可動動作）を許容するようにスプリング４３３と結合される。ラッチ部分４３１の構造に起因して、コンクリートアンカー３００は取り外し可能要素４１０とともに、保持ユニットへ導入されることだけが可能であるが、戻ることはできない。
【００３４】
本発明の一視点によれば、保持ユニット４００はクランプジョーの形式で構成できる。クランプジョーは、内側型枠に内側から固定ないし溶接することができる。保持ユニット４００の位置は、内側型枠２２０内のホールないし孔２４０の位置によって決定される。内側型枠２２０がそれに固定された保持ユニット４００とともに設置された後、作業者はコンクリートアンカー３００を、六角ソケットボルト状の取り外し可能要素４１０とともに、内側型枠２２０の外から孔２４０を通じてクランプジョー４００内に導入することができる。任意に、コンクリートアンカーは、例えば４０度、回転することができ、その結果、ボルトの外ねじはラッチ部分４３１上の鼻部（突部）と係合して、コンクリートアンカーは係止のために内側型枠内へ引き込まれる。内外型枠間の容積がコンクリート２３０で充填された後、六角ソケットボルト４１０を緩めて保持ユニットないしクランプジョーから外すことができ、内側型枠２２０から取り外すことができる。
【００３５】
本発明によれば、風力発電装置のプレキャストコンクリート製タワーセグメントの製造に際し、補強ケージを任意にクレーンによって内側コア上に内側型枠ともに設定または配置することができる。コンクリートアンカー（例えば波状アンカーまたはソケット状ダニエルピン）は内ねじボルトを備え、本発明による保持ユニットに導入または圧入することができ、保持ユニットが内側型枠の内側に固定される。本発明によれば、コンクリートアンカーを、例えばタワー梯子、ケーブルホルダ等を固定（係止）するために用いることができる。次いで外側型枠を（ケージが内側コア上（の外側）に配置された後）配置することができ、またすべてのコンクリートアンカーを位置決めし、ねじ回し（螺合）可能にすることができる。次いでコンクリートが型枠内に打設できる。コンクリート硬化後、ねじピンないし取り外し可能要素は本発明による保持ユニットから緩められ（ねじを緩めて外され）、コンクリートセグメントと内側型枠の間にはもはや接続状態が存在しなくなる。次に外側型枠を解放および取り外しすることができ、コンクリートセグメントには外側から自由にアクセスできるようになる。次に完成したコンクリートセグメントを例えばクレーンによって内側型枠から持ち上げることができ、さらに次の処理（加工）のために搬送することができる。
【符号の説明】
【００３６】
１００  風力発電装置
１０２  タワー
１０４  ナセル
１０６  ロータ
１０８  ロータブレード
１１０  スピナ
２００  タワーセグメント（タワーセクション）、プレキャストコンクリート部分
２１０  外側型枠
２２０  内側型枠
２３０  コンクリート
２４０  孔（ボア）、ホール
３００  コンクリートアンカー
３１０  第１端部
３１１  内ねじ、ねじ
３２０  第２端部
４００  保持ユニット、クランプジョー
４１０  取り外し可能要素、ネジボルト（六角（ソケット）ボルト）
４２０  プレート、保持ユニットプレート
４２１  孔、開口
４２２ａ，４２２ｂ  取付容易化部分、切欠き
４２３  切欠き
４２４  切欠き
４２５  固定部分
４２６  ボルト
４３０  保持要素
４３１  ラッチ部分
４３２  第２端部の開口
４３３  第１弾性端部、第１端部、スプリング
４３４  第２端部
４４０  スペーサプレート
【図１】
0006353531.tif 000002
【図２】
0006353531.tif 000003
【図３】
0006353531.tif 000004
【図４Ａ】
0006353531.tif 000005
【図４Ｂ】
0006353531.tif 000006
【図４Ｃ】
0006353531.tif 000007
【図５】
0006353531.tif 000008